(57)【特許請求の範囲】
【請求項１】
ＴＶカメラ用レンズ装置の本体における移動レンズをマニュアル駆動するためのコントローラであって、該コントローラの操作部材に加えられた操作力を前記移動レンズに伝達するための動力伝達部材が接続されるコネクタを備えたコントローラと、
前記コントローラのコネクタに前記動力伝達部材の代わりに装着されることにより、前記操作部材の操作量を電気信号に変換する操作量変換手段と、
前記電気信号に基づいて前記移動レンズをモータ駆動する駆動手段と、
を備えたことを特徴とするＴＶカメラ用レンズ装置。
【請求項２】
前記コントローラと前記ＴＶカメラ用レンズ装置の本体とが、前記コントローラのコネクタに着脱可能なアダプタを介して接続されていることを特徴とする請求項１のＴＶカメラ用レンズ装置。
【請求項３】
前記アダプタ内に前記操作量変換手段が備えられていることを特徴とする請求項２のＴＶカメラ用レンズ装置。
【発明の詳細な説明】
【０００１】
【発明の属する技術分野】
本発明はＴＶカメラ用レンズ装置に係り、特にテレビカメラのフォーカスレンズやズームレンズをレンズコントローラからの遠隔操作に基づいてサーボ機構により移動させるＴＶカメラ用レンズ装置に関する。
【０００２】
【従来の技術】
従来、テレビカメラに使用されるレンズ装置には、フォーカスレンズやズームレンズをモータ（サーボ機構）によって駆動するもの（モータ駆動のレンズ装置）と、マニュアルによって駆動するもの（マニュアル駆動のレンズ装置）とがある。モータ駆動のレンズ装置の場合、フォーカスデマンドやズームレートデマンドと呼ばれるコントローラの操作をポテンショメータやエンコーダ等によって電気的に検出し、検出した結果を電気ケーブルを介してコントロール信号としてレンズ装置に入力する。これにより、レンズ装置は、このコントロール信号に基づいてフォーカスレンズ、ズームレンズをモータによって駆動する。
【０００３】
一方、マニュアル駆動のレンズ装置の場合、フォーカスグリップやズームハンドルと呼ばれるコントローラの操作力をフレキシブルケーブルの回転等によってレンズ装置に伝達する。これにより、フレキシブルケーブルによって伝達された操作力がカム等を介してフォーカスレンズ、ズームレンズを駆動する。
現在では、モータでレンズを駆動することの操作性や精度が向上したことから、モータ駆動のレンズ装置が多く使用されるようになっている。
【０００４】
【発明が解決しようとする課題】
しかしながら、従来、モータ駆動のレンズ装置に使用されるコントローラは、その形状、操作方法がマニュアル駆動のコントローラと異なっていた。このため、マニュアル駆動のコントローラに慣れたカメラマンにとっては、モータ駆動のコントローラが使いにくいという問題があった。
【０００５】
また、マニュアル駆動のレンズ装置の場合、コントローラの操作力をレンズに伝達するフレキシブルケーブルの挿入口をレンズ装置に開口しなければならず、レンズ装置内部の気密性が悪くなるという問題があった。
本発明はこのような事情に鑑みてなされたもので、従来のマニュアル駆動のレンズ装置を使い慣れたカメラマンが違和感なくモータ駆動のレンズ装置を使用できるようにするＴＶカメラ用レンズ装置を提供することを目的とする。
【０００６】
【課題を解決するための手段】
本発明は前記目的を達成するために、ＴＶカメラ用レンズ装置の本体における移動レンズをマニュアル駆動するためのコントローラであって、該コントローラの操作部材に加えられた操作力を前記移動レンズに伝達するための動力伝達部材が接続されるコネクタを備えたコントローラと、前記コントローラのコネクタに前記動力伝達部材の代わりに装着されることにより、前記操作部材の操作量を電気信号に変換する操作量変換手段と、前記電気信号に基づいて前記移動レンズをモータ駆動する駆動手段と、を備えたことを特徴としている。
【０００７】
本発明によれば、機械的伝達機構のみでＴＶカメラ用レンズのフォーカスまたはズームレンズの少なくとも一方を遠隔操作によって移動させるマニュアル操作機構部（マニュアル駆動のコントローラ）と同一操作感覚で操作可能なサーボ操作機構部（モータ駆動のコントローラ）を、サーボモータによってフォーカスレンズまたはズームレンズを移動制御するレンズ装置のコントローラとして使用する。これにより、マニュアル駆動のレンズ装置のコントローラの操作でモータ駆動のレンズ装置を操作することができ、従来のマニュアル駆動のレンズ装置を使い慣れたカメラマンでも違和感なくモータ駆動のレンズ装置を操作することができる。
【０００８】
【発明の実施の形態】
以下添付図面に従って本発明に係るＴＶカメラ用レンズ装置の好ましい実施の形態について詳説する。
図１は本発明に係るＴＶカメラ用レンズ装置の使用態様を示すテレビカメラ装置の斜視図である。同図に示すテレビカメラ装置において、ペデスタルドリー１６上の雲台１８にテレビカメラ１０が支持される。テレビカメラ１０は、レンズ装置１２とカメラ１４とから構成され、レンズ装置１２はカメラ１４の前部に装着される。このレンズ装置１２は、サーボ機構のフォーカスモータによりフォーカスレンズを移動させるとともにズームモータによりズームレンズを移動させるモータ駆動のレンズ装置である。尚、カメラ１４上にはビューファインダ３２が設置される。
【０００９】
また、雲台１８には左右２本のパン棒２２、２３が設けられており、これらのパン棒２２、２３の先端部にはそれぞれ、上記レンズ装置１２のフォーカスを操作するフォーカスグリップ２４とズームを操作するズームハンドル２６が取り付けられる。
これらのフォーカスグリップ２４及びズームハンドル２６は、フォーカスレンズやズームレンズをサーボモータでなくマニュアルで駆動する（マニュアル駆動の）レンズ装置に使用されるものと同一機構で構成される。従って、マニュアル駆動のレンズ装置と同様の操作でモータ駆動のレンズ装置の操作が行われるようになっている。
【００１０】
また、フォーカスグリップ２４及びズームハンドル２６のコネクタにはポテンショメータを搭載した検出器１００、１００が装着される。これらのコネクタには通常マニュアル駆動の場合に操作力を伝達するためのフレキシブルケーブルが接続されるが、本実施の形態の場合には、マニュアル駆動のレンズ装置のコントローラをモータ駆動のレンズ装置に適応させるために、フォーカスグリップ２４のグリップ５０の回転角度やズームハンドルのハンドル８０の回転角度を検出して電気信号（コントロール信号）に変換するポテンショメータが接続される。尚、検出器１００は、フォーカスグリップ２４及びズームハンドル２６に対して着脱が可能であり、これらのフォーカスグリップ２４及びズームハンドル２６をモータ駆動のレンズ装置に接続するアダプタとしても作用する。これらのフォーカスグリップ２４、ズームハンドル２６及び検出器１００の構成については後述する。
【００１１】
フォーカスグリップ２４に接続されたポテンショメータは、グリップ５０の回転角度を検出し、この検出した回転角度をコントロール信号としてケーブル３０を介してレンズ装置１２に出力する。これにより、レンズ装置１２はフォーカスグリップ２４から入力したコントロール信号に基づいてフォーカスモータを駆動し、フォーカスグリップ２４の操作に応じた位置にフォーカスレンズを移動させる。
【００１２】
また、ズームハンドル２６に接続されたポテンショメータは、ハンドル８０の回転角度を検出し、この検出した回転角度をコントロール信号としてケーブル３１を介してレンズ装置１２に出力する。これにより、レンズ装置１２は、ズームハンドル２６から入力したコントロール信号に基づいてズームモータを駆動し、ズームハンドル２６の操作に応じた位置にズームレンズを移動させる。尚、フォーカスグリップ２４、ズームハンドル２６のケーブル３０、３１はレンズ装置１２とアダプタによって着脱可能に接続される。
【００１３】
カメラマンは、ビューファインダ３２に映る撮影像を見ながら左手でフォーカスグリップ２４のグリップを回転操作することによりフォーカス調整を行うとともに、右手でズームハンドル２６のハンドルを回転操作することによりズーム調整を行う。尚、上述したように上記フォーカスグリップ２４やズームハンドル２６の操作は、マニュアル駆動するレンズ装置において使用されるものと同様に行われるため、マニュアル駆動のレンズ装置を使いなれたカメラマンでも何ら変わりなく上記モータ駆動のレンズ装置を操作することができる。
【００１４】
次に上記フォーカスグリップ２４、ズームハンドル２６及びこれらのコントローラに接続される検出部の構成について説明する。図２は、上記フォーカスグリップ２４の構成図である。同図に示すようにフォーカスグリップ２４は、グリップ５０と固定部材５２とから構成され、固定部材５２がクランプ５４に装着角度が調節されてネジ５６により固定される。クランプ５４は上記パン棒２２に固定される。その際、上記パン棒２２をクランプ５４と挟持部材５８で挟んでネジ６０、６０により固定する。これにより、フォーカスグリップ２４はクランプ５４を介してパン棒２２に固定される。
【００１５】
また、上記フォーカスグリップ２４のグリップ５０は、固定部材５２に回動自在に設けられる。グリップ５０の回転は、コネクタ６２内の出力軸６４に伝達される。従って、カメラマンがこのグリップ５０を握りグリップ５０を手動により回転させると、グリップ５０の回転は、コネクタ６２内部の出力軸６４に出力される。
【００１６】
上述したように、上記フォーカスグリップ２４は、マニュアル駆動のレンズ装置に使用されるものであり、従来、マニュアル駆動のレンズ装置にこのフォーカスグリップ２４を使用する場合には、コネクタ６２にフレキシブルケーブルユニットのコネクタを装着する。これにより、グリップ５０の回転操作力がフレキシブルケーブルを介してレンズ装置のフォーカスレンズの駆動力として伝達される。本実施の形態の場合のようにモータ駆動のレンズ装置に使用する場合は、このコネクタ６２に検出器１００を接続し、フォーカスグリップ２４の出力軸６４の回転を電気信号であるコントロール信号としてレンズ装置１２に出力する。尚、検出器１００の構成については後述する。
【００１７】
図３乃至図５は、上記ズームハンドル２６の正面図、左側面図及び右側面図である。これらの図３乃至図５に示すようにズームハンドル２６は、ハンドル８０とギアボックス８２とから構成され、ギアボックス８２がクランプ８４に装着角度が調節されてネジ８６により固定される。クランプ８４は上記パン棒２３に固定される。その際、上記パン棒２３をクランプ８４と挟持部材８８で挟んでネジ６０、６０により固定する。これにより、ズームハンドル２６はクランプ８４を介してパン棒２３に固定される。
【００１８】
上記ズームハンドル２６のハンドル８０はギアボックス８２に回動自在に設けられ、ハンドル８０の一端には握り９２が回動自在に設けられる。カメラマンが、握り９２を握りハンドル８０を手動により回転させると、ハンドル８０の回転は、ギアボックス８２の図示しないギア機構によって接合部９４、９４内部の出力軸６４、６４に出力される。
【００１９】
コネクタ９４は、上記フォーカスグリップ２４のコネクタ６２と同様に構成され、上記フォーカスグリップ２４の場合と同様にこのコネクタ９４にはフレキシブルケーブルユニットの代わりに検出器１００が装着される。
図６は、上記フォーカスグリップ２４のコネクタ６２及びズームハンドルのコネクタ９４に装着される検出器１００の構成を示した断面図である。尚、便宜上、以下において検出器１００をフォーカスグリップ２４に装着する場合について説明するが、検出器１００をズームハンドル２６に装着する場合も同様である。同図に示すように検出器１００のケーシング１０２にコネクタ１０４が連結部材１０６によって取り付けられる。コネクタ１０４の内面には雌ねじ１０４Ａが形成され、この雌ねじ１０４Ａとフォーカスグリップ２４のコネクタ６２の外周面に形成された雄ねじ６２Ａとが螺合されることにより検出器１００が上記フォーカスグリップ２４に装着される。
【００２０】
ケーシング１０２の内部には回転軸１０８がベアリング１１０、１１２を介して回動自在に支持される。尚、ベアリング１１０、１１２は、回転軸１０８に固定された係止部材１１４とケーシング１０２に固定された係止部材１１６によって所定位置に係止されている。
上記回転軸１０８のコネクタ１０４側の端部には、断面が矩形状の連結部１０８Ａが形成される。この連結部１０８Ａは上記フォーカスグリップ２４の出力軸６４の先端部に形成された溝６４Ａに嵌合するようになっている。尚、同図矢印Ａ方向から見たときの連結部１０８Ａの形状を図７に示す。従って、検出器１００のコネクタ１０４がフォーカスグリップ２４のコネクタ６２に接続されると、検出器１００の回転軸１０８と上記フォーカスグリップ２４の出力軸６４とが連結され、フォーカスグリップ２４の出力軸６４の回転が検出器１００の回転軸１０８に伝達される。
【００２１】
また、ケーシング１０２の内部には、ポテンショメータ１１８が設置される。尚、ポテンショメータ１１８を挿入した穴の開口部には蓋１２０が取り付けられる。ポテンショメータ１１８の回転軸１１８Ａは、回転軸１０８にビス１２２によって固定される。従って、上記フォーカスグリップ２４の回転軸６４の回転が回転軸１０８を介してポテンショメータ１１８の回転軸１１８Ａに伝達され、この回転角度がポテンショメータ１１８によって検出される。
【００２２】
ポテンショメータ１１８の出力端子には、ケーブル１２４が接続され、ケーブル１２４は、ケーシング１０２の孔１０２Ａからケーシング１０２外部に引き出される。尚、ケーブル１２４は上記図１に示したケーブル３０又は３１を示す。そして、ケーブル１２４の先端には上記レンズ装置１２に接続するためのコネクタ１２６が設けられる。これにより、ポテンショメータ１１８によって検出された回転角度は、コントロール信号としてケーブル１２４を介してコネクタ１２６から出力される。コネクタ１２６が上記レンズ装置１２のコネクタと接続されることによりコネクタ１２６から出力されたコントロール信号がレンズ装置１２に伝達される。
【００２３】
尚、同図に示すピン１２８が回転軸１０８に植設され、このピン１２８がポテンショメータ１１８から延設された棒状部材１３０に当接することにより回転軸１０８の回転角度が３６０°範囲に制限されている。
以上説明したように、マニュアル駆動のレンズ装置のコントローラとして使用されるフォーカスグリップ２４やズームハンドル２６の出力軸６４、９６に、フレキシブルケーブルでなくポテンショメータを接続することによって、マニュアル駆動のレンズ装置のコントローラをモータ駆動のレンズ装置のコントローラとして適用することができる。
【００２４】
従って、従来のマニュアル駆動のレンズ装置のコントローラをそのままモータ駆動のレンズ装置のコントローラとして使用することができる。また、マニュアル駆動のレンズ装置のコントローラでモータ駆動のレンズ装置を操作することができるため、従来、マニュアル駆動のレンズ装置のコントローラを使い慣れたカメラマンでも容易にモータ駆動のレンズ装置を操作することができる。
【００２５】
また、マニュアル駆動のレンズ装置のコントローラにおいても、モータ駆動のレンズ装置を使用することによってレンズ装置にフレキシブルケーブルを挿入する孔を設ける必要がないため、レンズ装置内の気密性を保つことができ、塵、埃等がレンズに付着するのを防止することができる。
【００２６】
【発明の効果】
以上説明したように本発明によれば、機械的伝達機構のみでＴＶカメラ用レンズのフォーカスまたはズームレンズの少なくとも一方を遠隔操作によって移動させるマニュアル操作機構部（マニュアル駆動のコントローラ）と同一操作感覚で操作可能なサーボ操作機構部（モータ駆動のコントローラ）を、サーボモータによってフォーカスレンズまたはズームレンズを移動制御するレンズ装置のコントローラとして使用する。これにより、マニュアル駆動のレンズ装置のコントローラの操作でモータ駆動のレンズ装置を操作することができ、従来のマニュアル駆動のレンズ装置を使い慣れたカメラマンでも違和感なくモータ駆動のレンズ装置を操作することができる。
【図面の簡単な説明】
【図１】図１は、本発明に係るＴＶカメラ用レンズ装置の使用態様を示すテレビカメラ装置の斜視図である。
【図２】図２は、フォーカスグリップの正面図である。
【図３】図３は、ズームハンドルの正面図である。
【図４】図４は、ズームハンドルの左側面図である。
【図５】図５は、ズームハンドルの右側面図である。
【図６】図６は、フォーカスグリップ又はズームハンドルに接続される検出器の構成図である。
【図７】図７は、図６において検出器をＡ方向から見た場合の図である。
【符号の説明】
１０…テレビカメラ
１２…レンズ装置
１４…カメラ
２２、２３…パン棒
２４…フォーカスグリップ
２６…ズームハンドル
３０、３１…ケーブル
１００…検出器
【図１】
0003941172.tif 000002
【図２】
0003941172.tif 000003
【図３】
0003941172.tif 000004
【図４】
0003941172.tif 000005
【図５】
0003941172.tif 000006
【図６】
0003941172.tif 000007
【図７】
0003941172.tif 000008